(57)【要約】【課題】使用者によるエリアの登録等の手間を軽減し、精度良く置き忘れを報知する。【解決手段】処理装置の不使用状態を判定する使用状態判定部１と、不使用と判定された処理装置の位置情報を取得する位置情報取得部２と、取得した位置情報を用いて処理装置が置き忘れ状態であるかどうかを判定する置き忘れ判定部４と、処理装置が置き忘れ状態であると判定された場合に報知する報知部５とを有し、置き忘れ判定部４は、処理装置が置き忘れ状態であるかを判定する度にその判定に用いた位置情報を記憶部３に記憶させ、記憶部３に記憶させた位置情報の度合いに基づいて処理装置が置き忘れ状態であると判定する。【選択図】図１
2013243587.tif 000002
【特許請求の範囲】
【請求項１】
処理装置であって、
前記処理装置の不使用状態を判定する使用状態判定手段と、
不使用状態と判定された前記処理装置の位置情報を取得する位置情報取得手段と、
前記位置情報取得手段が取得した位置情報を記憶する記憶手段と、
前記取得した位置情報を用いて前記処理装置が置き忘れ状態であるかを判定する置き忘れ判定手段と、
前記処理装置が置き忘れ状態であると判定された場合に報知する報知手段とを有し、
前記置き忘れ判定手段は、前記処理装置が置き忘れ状態であるかを判定する度に当該判定に用いた位置情報を前記記憶手段に記憶させ、前記記憶手段に記憶させた位置情報の度合いに基づいて前記処理装置が置き忘れ状態であると判定する処理装置。
【請求項２】
請求項１に記載の処理装置において、
前記置き忘れ判定手段は、前記取得した位置情報が前記記憶手段に記憶された回数が所定回数以上である場合に、前記処理装置が置き忘れ状態であると判定する処理装置。
【請求項３】
請求項１または請求項２に記載の処理装置において、
前記置き忘れ判定手段は、前記処理装置が置き忘れ状態であるかの判定を行った時刻を前記記憶手段に記憶させておき、前記処理装置が不使用状態と判定された際に当該判定を行った時刻から所定の時間以内の時刻が前記記憶手段に記憶されている場合に、前記処理装置が置き忘れ状態であると判定する処理装置。
【請求項４】
請求項１乃至３のいずれか１項に記載の処理装置において、
前記処理装置に対する操作が行われる操作手段を有し、
前記使用状態判定手段は、前記操作手段に対する操作が一定時間行われていない場合に、前記処理装置が不使用状態であると判定する処理装置。
【請求項５】
請求項４に記載の処理装置において、
前記処理装置の静止状態を検出する静止状態検出手段を有し、
前記使用状態判定手段は、前記操作手段に対する操作が行われていない状態において、前記静止状態検出手段にて前記処理装置が一定時間静止している状態が検出された場合に、前記処理装置が不使用状態であると判定する処理装置。
【請求項６】
請求項４または請求項５に記載の処理装置において、
前記処理装置の向きを検出する向き検出手段を有し、
前記使用状態判定手段は、前記操作手段に対する操作が行われていない状態において、前記向き検出手段にて前記処理装置の向きが一定時間予め決められた向きであることが検出された場合に、前記処理装置が不使用状態であると判定する処理装置
【請求項７】
請求項４乃至６のいずれか１項に記載の処理装置において、
前記処理装置は、折り畳み可能に連接した２つの筐体からなり、
前記処理装置の折り畳み状態を検出する折り畳み状態検出手段を有し、
前記使用状態判定手段は、前記操作手段に対する操作が行われていない状態において、前記折り畳み状態検出手段にて前記処理装置が一定時間折り畳まれた状態であることが検出された場合に、前記処理装置が不使用状態であると判定する処理装置
【請求項８】
処理装置における報知方法であって、
前記処理装置の不使用状態を判定する使用状態判定処理と、
不使用状態と判定された前記処理装置の位置情報を取得する位置情報取得処理と、
前記取得した位置情報を用いて前記処理装置が置き忘れ状態であるかを判定する置き忘れ判定処理と、
前記処理装置が置き忘れ状態であると判定された場合に報知する報知処理とを有し、
前記置き忘れ判定処理において、前記処理装置が置き忘れ状態であるかを判定する度に当該判定に用いた位置情報を記憶手段に記憶させ、前記記憶手段に記憶させた位置情報の度合いに基づいて前記処理装置が置き忘れ状態であると判定する報知方法。
【請求項９】
処理装置に、
前記処理装置の不使用状態を判定する使用状態判定手順と、
不使用状態と判定された前記処理装置の位置情報を取得する位置情報取得手順と、
前記取得した位置情報を用いて前記処理装置が置き忘れ状態であるかを判定する置き忘れ判定手順と、
前記処理装置が置き忘れ状態であると判定された場合に報知する報知手順とを実行させ、
前記置き忘れ判定手順にて、前記処理装置が置き忘れ状態であるかを判定する度に当該判定に用いた位置情報を記憶手段に記憶させ前記記憶手段に記憶させた位置情報の度合いに基づいて前記処理装置が置き忘れ状態であると判定するプログラム。
【発明の詳細な説明】
【技術分野】
【０００１】
本発明は、処理装置に関し、特に、処理装置の置き忘れを報知する技術に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであったが、近年では、一般のパーソナルコンピュータと同様に、電子メールを送信したり、インターネットに接続したりすることができるようになっている。そのため、日常生活に欠かせない道具となっており、また、電話帳等の個人情報が記憶されていることから、紛失や盗難等が発生した場合、多大な影響を被る可能性がある。
【０００３】
ここで、置き忘れた携帯電話機を捜索する技術として、ＢＬＥ（Bluetooth Low Energy）のプロファイル“ＦＩＮＤ−ＭＥ”がある。この技術によれば、携帯電話機を置き忘れた際に、携帯電話機の使用者が携帯電話機を鳴動させることにより、携帯電話機の位置を確認することができる。ところが、この技術においては、置き忘れた携帯電話機を捜索する度に、携帯電話機の使用者が同じ手順にて携帯電話機を鳴動させなければならない。
【０００４】
また、携帯端末の使用者特有の位置情報となる自宅や勤務先等の位置を特定エリアとして登録しておき、現在の携帯端末と登録された特定エリア情報とを比較し、携帯端末の現在位置が特定エリア外である場合に、携帯端末に対して何らかの操作がなされているか否かを判断し、携帯端末に対して何らかの操作がなされておらず、携帯端末が置き忘れの可能性がある場合にその旨を報知する技術が、特許文献１に開示されている。この技術においては、携帯端末の使用者特有の位置を特定エリアとして予め登録しておけば、その後、この特定エリア外にて携帯端末を置き忘れた場合に、携帯端末の使用者が何ら操作を行うことなく、携帯端末の置き忘れを報知することができる。
【先行技術文献】
【特許文献】
【０００５】
【特許文献１】特開２００８−１８２５６４号公報
【発明の概要】
【発明が解決しようとする課題】
【０００６】
特許文献１に開示された技術においては、特定エリア外における携帯端末の置き忘れを検知するために、携帯端末の使用者特有の位置を特定エリアとして予め登録しておく必要がある。これは、置き忘れとなる可能性があるエリアを特定するためのものであって、このように特定エリアを登録しておくことにより、携帯端末の置き忘れを精度良く検知して報知することができるようになる。
【０００７】
ところが、置き忘れとなる可能性があるエリアを予め登録するには、どのようなエリアが置き忘れとなる可能性があるエリアであるかを携帯端末の使用者が考えなくてはならず、また、そのエリアを登録しておく必要があることから、携帯端末の使用者の手間がかかってしまうという問題点がある。
【０００８】
また、置き忘れとなる可能性があるエリアを、携帯端末の使用者が自ら特定することになるため、適切なエリアが特定されていない場合もあり、その場合、携帯端末の置き忘れを精度良く報知することができなくなってしまうという問題点がある。
【０００９】
本発明は、上述したような技術が有する問題点に鑑みてなされたものであって、使用者によるエリアの登録等の手間を軽減し、精度良く置き忘れを報知することができる処理装置、報知方法及びプログラムを提供することを目的とする。
【課題を解決するための手段】
【００１０】
上記目的を達成するために本発明は、
処理装置であって、
前記処理装置の不使用状態を判定する使用状態判定手段と、
不使用状態と判定された前記処理装置の位置情報を取得する位置情報取得手段と、
前記位置情報取得手段が取得した位置情報を記憶する記憶手段と、
前記取得した位置情報を用いて前記処理装置が置き忘れ状態であるかを判定する置き忘れ判定手段と、
前記処理装置が置き忘れ状態であると判定された場合に報知する報知手段とを有し、
前記置き忘れ判定手段は、前記処理装置が置き忘れ状態であるかを判定する度に当該判定に用いた位置情報を前記記憶手段に記憶させ、前記記憶手段に記憶させた位置情報の度合いに基づいて前記処理装置が置き忘れ状態であると判定する。
【００１１】
また、処理装置における報知方法であって、
前記処理装置の不使用状態を判定する使用状態判定処理と、
不使用状態と判定された前記処理装置の位置情報を取得する位置情報取得処理と、
前記取得した位置情報を用いて前記処理装置が置き忘れ状態であるかを判定する置き忘れ判定処理と、
前記処理装置が置き忘れ状態であると判定された場合に報知する報知処理とを有し、
前記置き忘れ判定処理において、前記処理装置が置き忘れ状態であるかを判定する度に当該判定に用いた位置情報を記憶手段に記憶させ、前記記憶手段に記憶させた位置情報の度合いに基づいて前記処理装置が置き忘れ状態であると判定する。
【００１２】
また、処理装置に、
前記処理装置の不使用状態を判定する使用状態判定手順と、
不使用状態と判定された前記処理装置の位置情報を取得する位置情報取得手順と、
前記取得した位置情報を用いて前記処理装置が置き忘れ状態であるかを判定する置き忘れ判定手順と、
前記処理装置が置き忘れ状態であると判定された場合に報知する報知手順とを実行させ、
前記置き忘れ判定手順にて、前記処理装置が置き忘れ状態であるかを判定する度に当該判定に用いた位置情報を記憶手段に記憶させ前記記憶手段に記憶させた位置情報の度合いに基づいて前記処理装置が置き忘れ状態であると判定する。
【発明の効果】
【００１３】
本発明によれば、使用者によるエリアの登録等の手間を軽減し、精度良く置き忘れを報知することができる。
【図面の簡単な説明】
【００１４】
【図１】本発明の処理装置の概要を示すブロック図である。
【図２】図１に示した処理装置における置き忘れ報知方法のアルゴリズムを説明するためのフローチャートである。
【図３】図１に示した処理装置の実施の一形態となる携帯端末の一構成例を示す図であり、（ａ）は表面側から見た外観図、（ｂ）は裏面側から見た外観図、（ｃ）は内部構成を示すブロック図である。
【図４】図３に示した携帯端末における置き忘れ報知方法の一例を説明するためのフローチャートである。
【図５】図３に示した携帯端末における置き忘れ報知方法の他の例を説明するためのフローチャートである。
【図６】図３に示した携帯端末における使用状態判定処理の他の例を説明するためのフローチャートである。
【図７】図３に示した携帯端末における使用状態判定処理の他の例を説明するためのフローチャートである。
【図８】図１に示した処理装置の他の実施の形態となる携帯端末の一構成例を示すブロック図である。
【図９】図８に示した携帯端末における使用状態判定処理を説明するためのフローチャートである。
【図１０】図１に示した処理装置の他の実施の形態となる携帯端末の他の構成例を示すブロック図である。
【図１１】図１０に示した携帯端末における使用状態判定処理を説明するためのフローチャートである。
【図１２】図１に示した処理装置の他の実施の形態となる携帯端末の他の構成例を示す図であり、（ａ）は見開いた状態の見開き面の外観図、（ｂ）は折り畳んだ状態を裏面側から見た外観図、（ｃ）は内部構成を示すブロック図である。
【図１３】図１２に示した携帯端末における使用状態判定処理を説明するためのフローチャートである。
【発明を実施するための形態】
【００１５】
以下に、本発明の実施の形態について図面を参照して説明する。
【００１６】
図１は、本発明の処理装置の概要を示すブロック図である。
【００１７】
本発明の処理装置は図１に示すように、使用状態判定手段となる使用状態判定部１と、位置情報取得手段となる位置情報取得部２と、記憶手段となる記憶部３と、置き忘れ判定手段となる置き忘れ判定部４と、報知手段となる報知部５とから構成されている。
【００１８】
使用状態判定部１は、処理装置の不使用状態を判定する。
【００１９】
位置情報取得部２は、不使用状態と判定された処理装置の位置情報を取得する。
【００２０】
記憶部３は、位置情報取得部２が取得した位置情報を記憶する。
【００２１】
置き忘れ判定部４は、位置情報取得部２が取得した位置情報を用いて処理装置が置き忘れ状態であるかを判定する。具体的には、処理装置が置き忘れ状態であるかを判定する度にその判定に用いた位置情報を記憶部３に記憶させ、記憶部３に記憶させた位置情報の度合いに基づいて処理装置が置き忘れ状態であると判定する。
【００２２】
以下に、上記のように構成された処理装置における置き忘れ報知方法のアルゴリズムについて説明する。
【００２３】
図２は、図１に示した処理装置における置き忘れ報知方法のアルゴリズムを説明するためのフローチャートである。
【００２４】
図１に示した処理装置においては、まず、使用状態判定部１が、処理装置の不使用状態を判定する使用状態判定処理を行う（ステップ１）。
【００２５】
また、位置情報取得部２が、不使用状態と判定された処理装置の位置情報を取得する位置情報取得処理を行う（ステップ２）。
【００２６】
そして、置き忘れ判定部４が、位置情報取得部２が取得した位置情報を用いて処理装置が置き忘れ状態であるかを判定する置き忘れ判定処理を行うことになる（ステップ３）。この置き忘れ判定処理においては、置き忘れ判定部４で処理装置が置き忘れ状態であるかを判定する度にその判定に用いた位置情報を記憶部３に記憶させ、記憶部３に記憶させた位置情報の度合いに基づいて処理装置が置き忘れ状態であると判定する。
【００２７】
その後、処理装置が置き忘れ状態であると判定された場合に、報知部５がその旨を報知する報知処理を行う（ステップ４）。
【００２８】
以下に、上述した処理装置について具体的な例を挙げて説明する。
【００２９】
図３は、図１に示した処理装置の実施の一形態となる携帯端末の一構成例を示す図であり、（ａ）は表面側から見た外観図、（ｂ）は裏面側から見た外観図、（ｃ）は内部構成を示すブロック図である。
【００３０】
本形態における携帯端末は図３に示すように、通信部１０と、表示部２０と、操作部３０と、マイク４０と、図１に示した位置情報取得部２に相当するＧＰＳ機能部５０と、図１に示した記憶部３に相当するメモリ６０と、レシーバ７０と、図１に示した報知部５に相当する通知音出力部８０と、制御部９０とを有している。
【００３１】
通信部１０は、データ信号を変復調することにより、データ信号を無線により送受信するものである。
【００３２】
表示部２０は、例えば液晶表示装置等から構成され、携帯端末による種々の動作を実行するための文字や画像等を表示するものであって、携帯端末の表面に設けられている。
【００３３】
操作部３０は、例えば十字カーソルキーや、数字や文字を入力するための英数字キー等、携帯端末の機能や動作等を指定するためのボタン等から構成され、ユーザによって操作されるものである。操作部３０は、携帯端末の表示部２０と同一面に設けられている。
【００３４】
マイク４０は、音声通話時のユーザの発話音声を入力するためのものであり、携帯端末の表示部２０と同一面に設けられている。
【００３５】
ＧＰＳ機能部５０は、ＧＰＳ衛星からの信号を受信することにより、携帯端末の位置情報を取得する。
【００３６】
メモリ６０は、情報を記憶するものであって、携帯端末が動作するための動作プログラムを記憶している他に、ＧＰＳ機能部５０にて取得された位置情報を記憶する。
【００３７】
レシーバ７０は、音声通話における着話音声等を出力するものであって、携帯端末の表示部２０と同一面に設けられている。
【００３８】
通知音出力部８０は、ブザー等から構成され、着信音やアラーム音を出力するものであって、制御部９０にて携帯端末が置き忘れ状態であると判定された場合に、アラーム音を出力することにより報知を行う。通知音出力部８０は、携帯端末の裏面に設けられている。
【００３９】
制御部９０は、図１に示した使用状態判定部１に相当する使用状態判定部９１と、図１に示した置き忘れ判定部４に相当する置き忘れ判定部９２と、タイマ９３とから構成されている。
【００４０】
使用状態判定部９１は、操作部３０に対して操作が行われていない状態が一定時間継続しているかどうかによって、携帯端末が使用状態であるか不使用状態であるかを判定する。
【００４１】
置き忘れ判定部９２は、使用状態判定部９１にて携帯端末が不使用状態であると判定された場合に、ＧＰＳ機能部５０にて取得された位置情報を用いて携帯端末が置き忘れ状態であるかどうかを判定する。具体的には、携帯端末が置き忘れ状態であるかどうかを判定する度にその判定に用いた位置情報をメモリ６０に記憶しておき、使用状態判定部９１にて携帯端末が不使用状態であると判定された際にＧＰＳ機能部５０にて取得された位置情報がメモリ６０に記憶されており、その記憶回数が所定回数以上である場合に、携帯端末が置き忘れ状態であると判定する。すなわち、置き忘れ判定部９１は、図１に示した置き忘れ判定部４と同様に、処理装置が置き忘れ状態であるかを判定する度にその判定に用いた位置情報をメモリ６０に記憶させ、メモリ６０に記憶させた位置情報の度合いに基づいて処理装置が置き忘れ状態であると判定する。
【００４２】
以下に、上記のように構成された携帯端末における置き忘れ報知方法について説明する。
【００４３】
図４は、図３に示した携帯端末における置き忘れ報知方法の一例を説明するためのフローチャートである。
【００４４】
使用状態判定部９１は、操作部３０に対する操作があるかどうか監視しており、操作がない場合は（ステップ１１）、タイマ９３によって操作がない時間を計測する。そして、操作部３０に対する操作が予め決められた一定時間ない場合は（ステップ１２）、携帯端末が不使用状態であると判定する。このステップ１１，１２の処理が、図２に示したステップ１の使用状態判定処理に相当する。
【００４５】
携帯端末が不使用状態であると判定されると、ＧＰＳ機能５０が、携帯端末の位置情報を取得する（ステップ１３）。このステップ１３の処理が、図２に示したステップ２の位置情報取得処理に相当する。なお、ＧＰＳ機能部５０が携帯端末の位置情報を常時取得しており、使用状態判定部９１にて携帯端末が不使用状態であると判定された場合に、制御部９０が、携帯端末の位置情報をＧＰＳ機能部５０から取得する構成とすることも考えられる。また、携帯端末が不使用状態であると判定するための一定時間は、例えば３０分等、任意に設定することができる。
【００４６】
また、操作部３０に対する操作が一定時間内にあった場合は、使用状態判定部９１による操作部３０に対する操作があるかどうかの監視が引き続き行われる。
【００４７】
ＧＰＳ機能５０にて携帯端末の位置情報が取得されると、置き忘れ判定部９２が、メモリ６０を参照し、ＧＰＳ機能部５０にて取得された携帯端末の位置情報と、メモリ６０に記憶されている位置情報とを比較する。そして、ＧＰＳ機能部５０にて取得された携帯端末の位置情報がメモリ６０に記憶されている場合（ステップ１４）、携帯端末が置き忘れ状態である可能性が高いと判断し、置き忘れ判定部９２は、その位置情報のメモリ６０への記憶回数をカウントする（ステップ１５）。これは、携帯端末の置き忘れは、使用者の生活環境に応じて特定の場所に依存することが考えられ、携帯端末が、以前、置き忘れ状態が判定された際にその判定に用いられた位置情報と同じ場所にて操作されずに放置されていることが、置き忘れ状態である可能性が高いと思われることからそのような判断がなされる。なお、メモリ６０には、本フローにて携帯端末の置き忘れ状態が判定される度に、ＧＰＳ機能部５０にて取得された位置情報が記憶されており、その記憶回数がカウントされることになる。
【００４８】
そして、ＧＰＳ機能部５０にて取得された携帯端末の位置情報のメモリ６０への記憶回数が、予め決められた回数以上である場合（ステップ１６）、置き忘れ判定部９２は、携帯端末が置き忘れ状態であると判定する（ステップ１７）。これは、携帯端末が、以前、置き忘れ状態が判定された際にその判定に用いられた位置情報がメモリ６０に記憶されている回数が多いほど、置き忘れ状態である可能性が非常に高いと思われることから、そのような判定がなされる。なお、携帯端末が置き忘れ状態である判定するためのメモリ６０への記憶回数は、任意に設定することができるが、その回数を多くするほど、携帯端末が置き忘れ状態である確率を高めることができる。
【００４９】
置き忘れ判定部９２は、携帯端末が置き忘れ状態であると判定すると、ステップ１３にて取得された携帯端末の位置情報をメモリ６０に記憶する（ステップ１８）。また、置き忘れ判定部９２の制御によって、通知音出力部８０からアラーム音が出力されることにより、携帯端末の置き忘れの報知が行われる（ステップ１９）。
【００５０】
一方、ＧＰＳ機能部５０にて取得された携帯端末の位置情報がメモリ６０に記憶されていない場合や、ＧＰＳ機能部５０にて取得された携帯端末の位置情報のメモリ６０への記憶回数が予め決められた回数未満である場合である場合は、置き忘れ判定部９２は、携帯端末が置き忘れ状態ではないと判定し（ステップ２０）、この場合においても、ステップ１３にて取得された携帯端末の位置情報をメモリ６０に記憶する（ステップ２１）。
【００５１】
このように、置き忘れ判定部９２は、本フローにて携帯端末の置き忘れ状態を判定する度に、ＧＰＳ機能部５０にて取得された位置情報をメモリ６０に記憶する。なお、上述したステップ１４〜１８，２０，２１の処理が、図２に示したステップ３の置き忘れ判定処理に相当し、ステップ１９の処理が、図２に示したステップ４の報知処理に相当する。
【００５２】
上述したように、本例においては、操作部３０に対する操作が一定時間なく、携帯端末が不使用状態であると判定された場合に、過去に置き忘れ状態であるかどうかが判定された際に取得された携帯端末の位置情報による位置に処理装置が置かれているかどうかによって、携帯端末の置き忘れ状態を判定する構成としたため、使用者によるエリアの登録等の手間を軽減し、精度良く置き忘れを報知することができる。すなわち、上述した例においては、ＧＰＳ機能部５０にて取得された携帯端末の位置情報のメモリ６０への記憶回数が、予め決められた回数以上である場合に、携帯端末が置き忘れ状態であると判定しているが、ＧＰＳ機能部５０にて取得された携帯端末の位置情報がメモリ６０に記憶されている場合に、携帯端末が置き忘れ状態であると判定してもよい。ただし、メモリ６０への位置情報の記憶回数を用いた方が、携帯端末の置き忘れ状態を精度良く判定することができる。
【００５３】
上述した例においては、携帯端末の位置情報を置き忘れ判定処理に用いているが、さらに置き忘れ判定が行われた時刻を用いて置き忘れ判定を行うことも考えられる。
【００５４】
図５は、図２に示した携帯端末における置き忘れ報知方法の他の例を説明するためのフローチャートである。
【００５５】
ステップ３１〜３６までの処理は、図４に示したステップ１１〜１６までの処理と同様であるため、説明を省略する。
【００５６】
ＧＰＳ機能部５０にて取得された携帯端末の位置情報のメモリ６０への記憶回数が、予め決められた回数以上である場合、置き忘れ判定部９２が、メモリ６０を参照し、現在の時刻と、メモリ６０に記憶されている時刻とを比較する。そして、現在の時刻から所定時間以内の時刻がメモリ６０に記憶されている場合（ステップ３７）、携帯端末が置き忘れ状態である可能性がさらに高いと判断し、置き忘れ判定部９２は、携帯端末が置き忘れ状態であると判定する（ステップ３８）。これは、携帯端末の置き忘れは、使用者の生活環境に応じて特定の時間に依存することが考えられ、携帯端末が、以前、置き忘れ状態が判定された際にその判定が行われた時刻から所定時間以内の時刻にて携帯端末が操作されずに放置されていることが、置き忘れ状態である可能性が非常に高いと思われることから、そのような判定がなされる。なお、携帯端末が置き忘れ状態であると判定するための所定時間は、１０分や３０分等、任意に設定することができるが、時間を小さくするほど、携帯端末が置き忘れ状態である確率を高めることができる。
【００５７】
置き忘れ判定部９２は、携帯端末が置き忘れ状態であると判定すると、ステップ１３にて取得された携帯端末の位置情報と、現在の時刻とをメモリ６０に記憶する（ステップ３９）。また、置き忘れ判定部９２の制御によって、通知音出力部８０からアラーム音が出力されることにより、置き忘れの報知が行われる（ステップ４０）。
【００５８】
一方、ＧＰＳ機能部５０にて取得された携帯端末の位置情報がメモリ６０に記憶されていない場合や、ＧＰＳ機能部５０にて取得された携帯端末の位置情報のメモリ６０への記憶回数が予め決められた回数未満である場合である場合や、現在の時刻がメモリ６０に記憶されていない場合は、置き忘れ判定部９２は、携帯端末が置き忘れ状態ではないと判定し（ステップ４１）、この場合においても、ステップ１３にて取得された携帯端末の位置情報と、現在の時刻とをメモリ６０に記憶する（ステップ４２）。
【００５９】
本例においては、図４に示した置き忘れ判定に加えて、置き忘れ判定が行われた時刻を用いていることにより、置き忘れ判定の精度をさらに向上させることができる。
【００６０】
上述した２つの置き忘れ報知方法においては、図２に示した使用状態判定処理Ｓ１として、操作部３０に対する操作が一定時間行われていない場合に、携帯端末が不使用状態と判定するものを例に挙げて説明したが、図２に示した使用状態判定処理Ｓ１はこれに限らない。
【００６１】
図６は、図３に示した携帯端末における使用状態判定処理の他の例を説明するためのフローチャートである。
【００６２】
図３に示した携帯端末は、表示部２０に表示された情報に変化がなく、かつ、操作部３０に対する操作が所定時間ない場合に、制御部９０の制御によって、表示部２０の画面が消灯して画面待機モードになる。
【００６３】
本例においては、使用状態判定部９１は、表示部２０が画面待機モードになると（ステップ１１１）、それからタイマ９３にて一定時間が経過したかを計測し、画面待機モードの状態で一定時間が経過した場合に（ステップ１１２）、携帯端末が不使用状態であると判定し、ステップ１３における処理に移行する。
【００６４】
また、画面待機モードの状態で一定時間内に操作部３０に対して操作が行われて待機モードが解除された場合は、表示部２０が画面待機モードであるかどうかの判定に戻る。
【００６５】
このように、使用状態判定処理として、表示部２０が画面待機モードとなることを利用することもできる。
【００６６】
図７は、図３に示した携帯端末における使用状態判定処理の他の例を説明するためのフローチャートである。
【００６７】
本例においては、使用状態判定部９１は、操作部３０に対する操作がない場合は（ステップ２１１）、タイマ９３によって操作がない時間を計測する。そして、操作部３０に対する操作が予め決められた一定時間ない場合は（ステップ２１２）、通信部１０を介した着信の待機状態となる。
【００６８】
その後、通信部１０を介した着信があったにも関わらず（ステップ２１３）、その着信に対する応答操作が行われない場合（ステップ２１４）、使用状態判定部９１は、携帯端末が不使用状態であると判定し、ステップ１３の処理に移行する。
【００６９】
また、操作部３０に対する操作が一定時間内にあった場合や、着信に対する応答操作が行われた場合は、使用状態判定部９１による操作部３０に対する操作があるかどうかの監視が引き続き行われる。
【００７０】
このように、使用状態判定処理として、携帯端末への着信に対して応答が行われたかどうかを利用することもできる。
【００７１】
（他の実施の形態）
図８は、図１に示した処理装置の他の実施の形態となる携帯端末の一構成例を示すブロック図である。
【００７２】
本構成例の携帯端末は図８に示すように、図３に示したものに対して、静止状態検出部１１０を有する点が異なるものである。
【００７３】
静止状態検出部１１０は、加速度センサや方位センサ等からなり、携帯端末の静止状態を検出する。
【００７４】
使用状態判定部９１は、操作部３０に対する操作が一定時間行われていない状態において、静止状態検出部１１０にて携帯端末が一定時間静止している状態が検出された場合に、携帯端末が不使用状態と判定する。
【００７５】
以下に、上記のように構成された携帯端末における使用状態判定処理について説明する。
【００７６】
図９は、図８に示した携帯端末における使用状態判定処理を説明するためのフローチャートである。
【００７７】
使用状態判定部９１は、操作部３０に対する操作があるかどうか監視しており、操作がない場合は、静止状態検出部１１０にて携帯端末が静止状態であることが検出されているかどうかを確認する（ステップ３１１）。そして、携帯端末が静止状態であることが検出されている場合、操作部３０に対して操作が行われていない状態において携帯端末が静止状態である時間をタイマ９３によって計測し、携帯端末が静止している状態が一定時間継続している場合は（ステップ３１２）、携帯端末が不使用状態であると判定し、ステップ１３の処理に移行する。
【００７８】
このように、操作部３０に対する操作が一定時間行われていない状態において、携帯端末が静止している状態が一定時間継続している場合に、携帯端末が不使用状態と判定することにより、置き忘れ判定の精度をさらに向上させることができる。
【００７９】
図１０は、図１に示した処理装置の他の実施の形態となる携帯端末の他の構成例を示すブロック図である。
【００８０】
本構成例の携帯端末は図１０に示すように、図３に示したものに対して、向き検出部１２０を有する点が異なるものである。
【００８１】
向き検出部１２０は、方位センサ等からなり、携帯端末の向きを検出する。
【００８２】
使用状態判定部９１は、操作部３０に対する操作が一定時間行われていない状態において、携帯端末の所定の面（例えば、表示部２０または操作部３０が配置された面）の向きが一定時間下向きであることが向き検出部１２０にて検出された場合に、携帯端末が不使用状態と判定する。
【００８３】
以下に、上記のように構成された携帯端末における使用状態判定処理について説明する。
【００８４】
図１１は、図１０に示した携帯端末における使用状態判定処理を説明するためのフローチャートである。
【００８５】
使用状態判定部９１は、操作部３０に対する操作があるかどうか監視しており、操作がない場合は、向き検出部１２０にて検出された携帯端末の向きを確認する（ステップ４１１）。そして、携帯端末の向きが、表示部が下方を向くような下向きである場合、操作部３０に対して操作が行われていない状態において携帯端末が下向きである時間をタイマ９３によって計測し、携帯端末が下向きである状態が一定時間継続している場合は（ステップ４１２）、携帯端末が不使用状態であると判定し、ステップ１３の処理に移行する。これは、携帯端末の向きが、表示部が下方を向くような下向きである状態では、操作部３０に対する操作を行わない状態でも、表示部に表示された動画等を閲覧する可能性が低いことから、そのような判定がなされる。また、操作部３０が下方を向くような状態でも携帯端末そ操作する可能性が低いことから同様の判定をしてもよい。
【００８６】
このように、操作部３０に対する操作が一定時間行われていない状態において、携帯端末が下向きである状態が一定時間継続している場合に、携帯端末が不使用状態と判定することにより、置き忘れ判定の精度をさらに向上させることができる。
【００８７】
図１２は、図１に示した処理装置の他の実施の形態となる携帯端末の他の構成例を示す図であり、（ａ）は見開いた状態の見開き面の外観図、（ｂ）は折り畳んだ状態を裏面側から見た外観図、（ｃ）は内部構成を示すブロック図である。
【００８８】
本構成例の携帯端末は図１２に示すように、２つの筐体１３１ａ，１３１ｂがヒンジ部１３２を介して折り畳み可能に連接して構成されている。筐体１３１ａ側に、表示部２０及びレシーバ７０が設けられている。筐体１３１ｂ側の見開き面に、操作部３０及びマイク４０が設けられ、筐体１３１ｂ側の裏面に通知音出力部８０が設けられている。また、内部の構成においては、図３に示したものに対して、折り畳み状態検出部１３０を有する点が異なるものである。
【００８９】
折り畳み状態検出部１３０は、筐体１３１ａ，１３１ｂがヒンジ部１３２を介して折り畳まれた状態を磁気センサ等を用いて検出する。
【００９０】
使用状態判定部９１は、操作部３０に対する操作が行われていない状態において、筐体１３１ａ，１３１ｂがヒンジ部１３２を介して折り畳まれた折り畳み状態が折り畳み状態検出部１３０にて一定時間継続して検出された場合に、携帯端末が不使用状態であると判定する。
【００９１】
以下に、上記のように構成された携帯端末における使用状態判定処理について説明する。
【００９２】
図１３は、図１２に示した携帯端末における使用状態判定処理を説明するためのフローチャートである。
【００９３】
使用状態判定部９１は、操作部３０に対する操作があるかどうか監視しており、操作がない場合は、筐体１３１ａ，１３１ｂがヒンジ部１３２を介して折り畳まれた折り畳み状態が折り畳み状態検出部１３０にて検出されているかどうかを確認する（ステップ５１１）。そして、携帯端末が折り畳み状態であることが検出されている場合、操作部３０に対して操作が行われていない状態において携帯端末が折り畳み状態である時間をタイマ９３によって計測し、折り畳み状態が一定時間継続している場合は（ステップ５１２）、携帯端末が不使用状態であると判定し、ステップ１３の処理に移行する。
【００９４】
このように、操作部３０に対する操作が一定時間行われていない状態において、携帯端末が一定時間折り畳み状態である場合に、携帯端末が不使用状態と判定することにより、置き忘れ判定の精度をさらに向上させることができる。
【００９５】
なお、上述した実施の形態においては、報知手段として通知音出力部８０を設け、携帯端末が置き忘れ状態であると判定された場合に、通知音出力部８０からアラーム音を出力することによって置き忘れの報知を行っているが、置き忘れの報知の方法はこれに限らず、ＬＥＤ等の点灯やバイブレータによる振動の発生等によってもよく、また、このような直接的な報知に限らず、他の処理装置への電子メールの送信等の間接的な報知であってもよい。
【００９６】
また、本発明の構成要素は、上述したブロック図に示されるような機能として分離されるものに限らず、適宜、機能毎に分離した構成としてもよい。
【００９７】
また、本発明においては、処理装置内の処理は上述の専用のハードウェアにより実現されるもの以外に、その機能を実現するためのプログラムを処理装置となるコンピュータにて読取可能な記録媒体に記録し、この記録媒体に記録されたプログラムを処理装置に読み込ませ、実行するものであっても良い。処理装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、処理装置に内蔵されたＨＤＤ等を指す。この記録媒体に記録されたプログラムは、例えば、制御ブロックにて読み込まれ、制御ブロックの制御によって、上述したものと同様の処理が行われる。
【００９８】
また、本発明の処理装置は、図３や図１２に示したような携帯端末に限らず、スマートフォン、携帯音楽プレーヤーや携帯ゲーム機、タブレットＰＣやノートＰＣ、ＰＤＡ等、外部からの操作が行われるものであればよい。
【００９９】
上記の実施の形態の一部または全部は、以下の付記のようにも記載され得るが、以下には、限られない。
【０１００】
（付記１）
処理装置であって、
前記処理装置の不使用状態を判定する使用状態判定手段と、
不使用状態と判定された前記処理装置の位置情報を取得する位置情報取得手段と、
前記位置情報取得手段が取得した位置情報を記憶する記憶手段と、
前記取得した位置情報を用いて前記処理装置が置き忘れ状態であるかを判定する置き忘れ判定手段と、
前記処理装置が置き忘れ状態であると判定された場合に報知する報知手段とを有し、
前記置き忘れ判定手段は、前記処理装置が置き忘れ状態であるかを判定する度に当該判定に用いた位置情報を前記記憶手段に記憶させ、前記記憶手段に記憶させた位置情報の度合いに基づいて前記処理装置が置き忘れ状態であると判定する処理装置。
【０１０１】
（付記２）
付記１に記載の処理装置において、
前記置き忘れ判定手段は、前記取得した位置情報が前記記憶手段に記憶された回数が所定回数以上である場合に、前記処理装置が置き忘れ状態であると判定する処理装置。
【０１０２】
（付記３）
付記１または付記２に記載の処理装置において、
前記置き忘れ判定手段は、前記処理装置が置き忘れ状態であるかの判定を行った時刻を前記記憶手段に記憶させておき、前記処理装置が不使用状態と判定された際に当該判定を行った時刻から所定の時間以内の時刻が前記記憶手段に記憶されている場合に、前記処理装置が置き忘れ状態であると判定する処理装置。
【０１０３】
（付記４）
付記１乃至３のいずれか１項に記載の処理装置において、
前記処理装置に対する操作が行われる操作手段を有し、
前記使用状態判定手段は、前記操作手段に対する操作が一定時間行われていない場合に、前記処理装置が不使用状態であると判定する処理装置。
【０１０４】
（付記５）
付記４に記載の処理装置において、
前記処理装置の静止状態を検出する静止状態検出手段を有し、
前記使用状態判定手段は、前記操作手段に対する操作が行われていない状態において、前記静止状態検出手段にて前記処理装置が一定時間静止している状態が検出された場合に、前記処理装置が不使用状態であると判定する処理装置。
【０１０５】
（付記６）
付記４または付記５に記載の処理装置において、
前記処理装置の向きを検出する向き検出手段を有し、
前記使用状態判定手段は、前記操作手段に対する操作が行われていない状態において、前記向き検出手段にて前記処理装置の向きが一定時間予め決められた向きであることが検出された場合に、前記処理装置が不使用状態であると判定する処理装置
（付記７）
付記４乃至６のいずれか１項に記載の処理装置において、
前記処理装置は、折り畳み可能に連接した２つの筐体からなり、
前記処理装置の折り畳み状態を検出する折り畳み状態検出手段を有し、
前記使用状態判定手段は、前記操作手段に対する操作が行われていない状態において、前記折り畳み状態検出手段にて前記処理装置が一定時間折り畳まれた状態であることが検出された場合に、前記処理装置が不使用状態であると判定する処理装置
（付記８）
処理装置における報知方法であって、
前記処理装置の不使用状態を判定する使用状態判定処理と、
不使用状態と判定された前記処理装置の位置情報を取得する位置情報取得処理と、
前記取得した位置情報を用いて前記処理装置が置き忘れ状態であるかを判定する置き忘れ判定処理と、
前記処理装置が置き忘れ状態であると判定された場合に報知する報知処理とを有し、
前記置き忘れ判定処理において、前記処理装置が置き忘れ状態であるかを判定する度に当該判定に用いた位置情報を記憶手段に記憶させ、前記記憶手段に記憶させた位置情報の度合いに基づいて前記処理装置が置き忘れ状態であると判定する報知方法。
【０１０６】
（付記９）
処理装置に、
前記処理装置の不使用状態を判定する使用状態判定手順と、
不使用状態と判定された前記処理装置の位置情報を取得する位置情報取得手順と、
前記取得した位置情報を用いて前記処理装置が置き忘れ状態であるかを判定する置き忘れ判定手順と、
前記処理装置が置き忘れ状態であると判定された場合に報知する報知手順とを実行させ、
前記置き忘れ判定手順にて、前記処理装置が置き忘れ状態であるかを判定する度に当該判定に用いた位置情報を記憶手段に記憶させ前記記憶手段に記憶させた位置情報の度合いに基づいて前記処理装置が置き忘れ状態であると判定するプログラム。
【符号の説明】
【０１０７】
１，９１    使用状態判定部
２    位置情報取得部
３    記憶部
４，９２    置き忘れ判定部
５    報知部
１０    通信部
２０    表示部
３０    操作部
４０    マイク
５０    ＧＰＳ機能部
６０    メモリ
７０    レシーバ
８０    通知音出力部
９０    制御部
９３    タイマ
１１０    静止状態検出部
１２０    向き検出部
１３０    折り畳み状態検出部
１３１ａ，１３１ｂ    筐体
１３２    ヒンジ部
【図１】
2013243587.tif 000003
【図２】
2013243587.tif 000004
【図３】
2013243587.tif 000005
【図４】
2013243587.tif 000006
【図５】
2013243587.tif 000007
【図６】
2013243587.tif 000008
【図７】
2013243587.tif 000009
【図８】
2013243587.tif 000010
【図９】
2013243587.tif 000011
【図１０】
2013243587.tif 000012
【図１１】
2013243587.tif 000013
【図１２】
2013243587.tif 000014
【図１３】
2013243587.tif 000015